(57)【要約】【課題】最低脈拍数の推移において、体調に影響を与えたと思われる要因の推測を容易にするシステムを提供する。【解決手段】生体情報表示システム５０は、表示部２２０と、ユーザーの生体情報を取得する脈拍情報検出部１１０と、生体情報に基づいてユーザーの脈拍数を算出し、算出した脈拍数に基づいて解析情報を決定し、解析情報と、解析情報に対応する時間情報と、を関連付けて表示部２２０に表示させる制御部２５０と、ユーザーに関する主観情報、および、ユーザーに関するイベント情報の少なくとも１つを含む入力情報を時間情報に対応付けて受け付ける操作受付部２１０と、を備え、制御部２５０は、操作受付部２１０が入力情報を受け付けた場合、解析情報および時間情報に関連付けて入力情報を表示部２２０に表示させる。【選択図】図２
2017213249.tif 000002
【特許請求の範囲】
【請求項１】
表示部と、
ユーザーの生体情報を取得する生体情報取得部と、
前記生体情報に基づいて前記ユーザーの状態に関する解析情報を決定し、前記解析情報と、前記解析情報に対応する時間情報と、を関連付けて前記表示部に表示させる制御部と、
前記ユーザーに関する主観情報、および、前記ユーザーに関するイベント情報の少なくとも１つを含む入力情報を前記時間情報に対応付けて受け付ける受付部と、を備え、
前記制御部は、前記受付部が前記入力情報を受け付けた場合、前記解析情報および前記時間情報に関連付けて前記入力情報を前記表示部に表示させることを特徴とする生体情報表示システム。
【請求項２】
請求項１に記載の生体情報表示システムにおいて、
前記制御部は、複数の前記解析情報をそれぞれの前記時間情報に応じて時系列に表示させることを特徴とする生体情報表示システム。
【請求項３】
請求項１乃至２のいずれかに記載の生体情報表示システムにおいて、
前記入力情報は、飲酒、体調、運動、心理状態、睡眠時間および睡眠深さの少なくとも１つに関する情報であることを特徴とする生体情報表示システム。
【請求項４】
請求項１乃至３のいずれか１項に記載の生体情報表示システムにおいて、
前記生体情報は、脈波情報、心電情報、および脈拍数の少なくとも１つであることを特徴とする生体情報表示システム。
【請求項５】
請求項１乃至４のいずれか１項に記載の生体情報表示システムにおいて、
前記解析情報は、最低脈拍数、安静時脈拍数、最高脈拍数、ストレス度合、疲労度合の少なくともいずれかであることを特徴とする生体情報表示システム。
【請求項６】
請求項１乃至５のいずれか１項に記載の生体情報表示システムにおいて、
前記制御部は、グラフの一方の軸に前記解析情報を割り当てると共に、前記グラフの他方の軸に前記時間情報を割り当て、時間経過に伴う前記解析情報の推移を示す推移画像を生成し、前記推移画像を前記表示部に表示させることを特徴とする生体情報表示システム。
【請求項７】
請求項６に記載の生体情報表示システムにおいて、
前記制御部は、前記時間情報に応じた前記解析情報を前記推移画像にプロットで示し、前記時間情報に前記入力情報が関連付けられている場合、前記入力情報に応じたアイコンを前記プロットに重畳して表示させることを特徴とする生体情報表示システム。
【請求項８】
請求項６乃至７のいずれかに記載の生体情報表示システムにおいて、
前記解析情報は最低脈拍数であって、
前記制御部は、前記最低脈拍数の推移に基づいて前記ユーザーの基底脈拍数を決定し、前記基底脈拍数を示す基準線を前記推移画像に示すことを特徴とする生体情報表示システム。
【請求項９】
請求項６乃至７のいずれかに記載の生体情報表示システムにおいて、
前記解析情報は最低脈拍数であって、
前記制御部は、前記ユーザーの体調または睡眠状態が良好である場合の前記最低脈拍数を取得し、前記最低脈拍数を示す基準線を前記推移画像に示すことを特徴とする生体情報表示システム。
【請求項１０】
請求項８乃至９のいずれかに記載の生体情報表示システムにおいて、
前記制御部は、前記最低脈拍数と、前記基準線と、の乖離度合に基づいて、前記ユーザーの疲労度を判定することを特徴とする生体情報表示システム。
【請求項１１】
請求項１０に記載の生体情報表示システムにおいて、
前記制御部が判定した前記疲労度と、前記入力情報と、に基づいて、前記ユーザーにメッセージを通知する通知部を備えることを特徴とする生体情報表示システム。
【請求項１２】
請求項１乃至１１のいずれか１項に記載の生体情報表示システムにおいて、
前記制御部は、前記解析情報の時系列変化を示す第１の変化パターンと、直近の情報を含む前記解析情報の第２の変化パターンと、の類似度合いを評価し、前記類似度合いに基づいて、前記ユーザーの疲労度に関する変化を予測することを特徴とする生体情報表示システム。
【請求項１３】
表示部と、
ユーザーの生体情報を受信する受信部と、
前記生体情報に基づいて前記ユーザーの脈拍数を算出し、算出した前記脈拍数に基づいて解析情報を決定し、前記解析情報と、前記解析情報に対応する時間情報と、を関連付けて前記表示部に表示させる制御部と、
前記ユーザーに関する主観情報、および、前記ユーザーに関するイベント情報の少なくとも１つを含む入力情報を前記時間情報に対応付けて受け付ける受付部と、を備え、
前記制御部は、前記受付部が前記入力情報を受け付けた場合、前記解析情報および前記時間情報に関連付けて前記入力情報を前記表示部に表示させることを特徴とする携帯端末装置。
【請求項１４】
表示部と、
ユーザーの生体情報を取得する生体情報取得部と、
前記生体情報に基づいて前記ユーザーの状態に関する解析情報を決定し、前記解析情報と、前記解析情報に対応する時間情報と、を関連付けて前記表示部に表示させる制御部と、
前記ユーザーに関する主観情報、および、前記ユーザーに関するイベント情報の少なくとも１つを含む入力情報を前記時間情報に対応付けて受け付ける受付部と、を備え、
前記制御部は、前記受付部が前記入力情報を受け付けた場合、前記解析情報および前記時間情報に関連付けて前記入力情報を前記表示部に表示させることを特徴とするウェアラブル装置。
【請求項１５】
ユーザーの生体情報を取得し、前記生体情報に基づいて前記ユーザーの状態に関する解析情報を決定し、前記解析情報と、前記解析情報に対応する時間情報と、を関連付けて表示し、前記ユーザーに関する主観情報、および、前記ユーザーに関するイベント情報の少なくとも１つを含む入力情報を前記時間情報に対応付けて受け付けた場合、前記解析情報および前記時間情報に関連付けて前記入力情報を表示することを特徴とする生体情報表示方法。
【請求項１６】
ユーザーの生体情報を取得し、前記生体情報に基づいて前記ユーザーの状態に関する解析情報を決定し、前記解析情報と、前記解析情報に対応する時間情報と、を関連付けて表示し、前記ユーザーに関する主観情報、および、前記ユーザーに関するイベント情報の少なくとも１つを含む入力情報を前記時間情報に対応付けて受け付けた場合、前記解析情報および前記時間情報に関連付けて前記入力情報を表示することをコンピューターに実行させることを特徴とする生体情報表示プログラム。
【発明の詳細な説明】
【技術分野】
【０００１】
本発明は、生体情報表示システム、携帯端末装置、ウェアラブル装置、生体情報表示方法および生体情報表示プログラムに関する。
【背景技術】
【０００２】
従来、ユーザーの脈拍数の情報をセンサーで取得し、取得した脈拍数の情報に基づいて、ユーザーの健康状態を判定する装置が提供されている。例えば、下記特許文献１に示す装置は、ユーザーの脈拍数を検出し、検出した脈拍数に基づいて、睡眠時における脈拍数の最低値を算出して表示する。これにより、ユーザーは脈拍数の最低値を視認できる。
一般に、脈拍数の最低値は、体調と相関関係が有ると言われている。従って、ユーザーは、脈拍数の最低値の時間経過に伴う推移を知ることで、体調変化を知ることができる。
【先行技術文献】
【特許文献】
【０００３】
【特許文献１】特開２０１５−１３１０４９号公報
【発明の概要】
【発明が解決しようとする課題】
【０００４】
しかしながら、従来の装置では、ユーザーは、脈拍数の最低値の推移を知ることはできるが、ユーザーの行動や感情変化等とは関連付けられていなかった。従って、ユーザーは、脈拍数の最低値の変動に対応する体調等の変化要因を、ユーザーの記憶に基づいて推測する必要があり、過去の記憶が曖昧であるために正確な推測は困難であった。
本発明は、上述の課題に鑑みてなされたものであり、脈拍数の最低値の推移において、体調に影響を与えたと思われる要因の推測を容易にすることを目的とする。
【課題を解決するための手段】
【０００５】
本発明は、上述の課題の少なくとも一部を解決するためになされたものであり、以下の形態又は適用例として実現することが可能である。
【０００６】
［適用例１］
本適用例にかかる生体情報表示システムは、表示部と、ユーザーの生体情報を取得する生体情報取得部と、前記生体情報に基づいて前記ユーザーの状態に関する解析情報を決定し、前記解析情報と、前記解析情報に対応する時間情報と、を関連付けて前記表示部に表示させる制御部と、前記ユーザーに関する主観情報、および、前記ユーザーに関するイベント情報の少なくとも１つを含む入力情報を前記時間情報に対応付けて受け付ける受付部と、を備え、前記制御部は、前記受付部が前記入力情報を受け付けた場合、前記解析情報および前記時間情報に関連付けて前記入力情報を前記表示部に表示させることを特徴とする。
【０００７】
このような構成によれば、ユーザーに関する主観情報、および、ユーザーに関するイベント情報の少なくとも１つを含む入力情報が、時間情報と関連付けて入力された場合、入力情報は、時間情報および時間情報に関連するユーザーの解析情報に関連付けて表示部に表示される。従って、ユーザーは、入力情報に基づいて解析情報に対する要因を正確に推測できる。
【０００８】
［適用例２］
上記適用例にかかる生体情報表示システムにおいて、前記制御部は、複数の前記解析情報をそれぞれの前記時間情報に応じて時系列に表示させることが好ましい。
【０００９】
このような構成によれば、解析情報は時間情報に応じて時系列に表示されるため、ユーザーは解析情報の推移を時系列に視認できる。
【００１０】
［適用例３］
上記適用例にかかる生体情報表示システムにおいて、前記入力情報は、飲酒、体調、運動、心理状態、睡眠時間および睡眠深さの少なくとも１つに関する情報であることが好ましい。
【００１１】
このような構成によれば、ユーザーは、時間情報に関連する解析情報の要因を、飲酒、体調、運動、心理状態、睡眠時間および睡眠深さの少なくとも１つと関連付けて推測できる。
【００１２】
［適用例４］
上記適用例にかかる生体情報表示システムにおいて、前記生体情報は、脈波情報、心電情報、および脈拍数の少なくとも１つであることが好ましい。
【００１３】
このような構成によれば、ユーザーの脈拍数を脈波および心電の少なくとも１つから算出できる。
【００１４】
［適用例５］
上記適用例にかかる生体情報表示システムにおいて、前記解析情報は、最低脈拍数、安静時脈拍数、最高脈拍数、ストレス度合、疲労度合の少なくともいずれかであっても良い。
【００１５】
［適用例６］
上記適用例にかかる生体情報表示システムにおいて、前記制御部は、グラフの一方の軸に前記解析情報を割り当てると共に、前記グラフの他方の軸に前記時間情報を割り当て、時間経過に伴う前記解析情報の推移を示す推移画像を生成し、前記推移画像を前記表示部に表示させることが好ましい。
【００１６】
このような構成によれば、グラフの一方の軸に解析情報を割り当て、他方の軸に時間情報を割り当てた推移画像により解析情報の推移を示すことで、解析情報の推移を容易に視認できる。
【００１７】
［適用例７］
上記適用例にかかる生体情報表示システムにおいて、前記制御部は、前記時間情報に応じた前記解析情報を前記推移画像にプロットで示し、前記時間情報に前記入力情報が関連付けられている場合、前記入力情報に応じたアイコンを前記プロットに重畳して表示させることが好ましい。
【００１８】
このような構成によれば、解析情報を推移画像にプロットで示し、時間情報に入力情報が関連付けられている場合、入力情報に応じたアイコンがプロットに重畳して表示されるため、解析情報に対応するアイコンを視認することで、解析情報の推移に対する要因を視覚的に推測できる。
【００１９】
［適用例８］
上記適用例にかかる生体情報表示システムにおいて、前記解析情報は最低脈拍数であって、前記制御部は、前記最低脈拍数の推移に基づいて前記ユーザーの基底脈拍数を決定し、前記基底脈拍数を示す基準線を前記推移画像に示すことが好ましい。
【００２０】
このような構成によれば、ユーザーの基底脈拍数を推移画像に基準線で示すことで、基底脈拍数と、解析情報とを視覚的に比較できる。
【００２１】
［適用例９］
上記適用例にかかる生体情報表示システムにおいて、前記解析情報は最低脈拍数であって、前記制御部は、前記ユーザーの体調または睡眠状態が良好である場合の前記最低脈拍数を取得し、前記最低脈拍数を示す基準線を前記推移画像に示すことが好ましい。
【００２２】
このような構成によれば、ユーザーの体調または睡眠状態が良好である場合の解析情報を推移画像に基準線で示すことで、体調または睡眠状態が良好である場合の解析情報と、現在の解析情報と、を視覚的に比較できる。
【００２３】
［適用例１０］
上記適用例にかかる生体情報表示システムにおいて、前記制御部は、前記解析情報と、前記基準線と、の乖離度合に基づいて、前記ユーザーの疲労度を判定することが好ましい。
【００２４】
このような構成によれば、取得した解析情報と、基準線と、の乖離度合を検出することによりユーザーの疲労度を判定し、ユーザーに提示できる。
【００２５】
［適用例１１］
上記適用例にかかる生体情報表示システムにおいて、前記制御部が判定した前記疲労度と、前記入力情報と、に基づいて、前記ユーザーにメッセージを通知する通知部を備えることが好ましい。
【００２６】
このような構成によれば、通知部は、制御部が判定した疲労度と、入力情報と、に基づいてメッセージを通知するため、ユーザーに疲労度合いを通知できる。
【００２７】
［適用例１２］
上記適用例にかかる生体情報表示システムにおいて、前記制御部は、前記解析情報の時系列変化を示す第１の変化パターンと、直近の情報を含む前記解析情報の第２の変化パターンと、の類似度合いを評価し、前記類似度合いに基づいて、前記ユーザーの疲労度に関する変化を予測することが好ましい。
【００２８】
このような構成によれば、解析情報の時系列変化を示す第２の変化パターンと、記憶部に記憶した第１の変化パターンと、の類似度合いに基づいて、ユーザーの疲労度に関する変化を予測するため、ユーザーに対して適切な対応を促すことができる。
【００２９】
［適用例１３］
本適用例にかかる携帯端末装置は、表示部と、ユーザーの生体情報を受信する受信部と、前記生体情報に基づいて前記ユーザーの脈拍数を算出し、算出した前記脈拍数に基づいて解析情報を決定し、前記解析情報と、前記解析情報に対応する時間情報と、を関連付けて前記表示部に表示させる制御部と、前記ユーザーに関する主観情報、および、前記ユーザーに関するイベント情報の少なくとも１つを含む入力情報を前記時間情報に対応付けて受け付ける受付部と、を備え、前記制御部は、前記受付部が前記入力情報を受け付けた場合、前記解析情報および前記時間情報に関連付けて前記入力情報を前記表示部に表示させることを特徴とする。
【００３０】
このような構成によれば、ユーザーに関する主観情報、および、ユーザーに関するイベント情報の少なくとも１つを含む入力情報が、時間情報と関連付けて入力された場合、入力情報は、時間情報および時間情報に関連するユーザーの解析情報に関連付けて表示部に表示される。従って、ユーザーは、入力情報に基づいて解析情報に対する要因を正確に推測できる。
【００３１】
［適用例１４］
本適用例にかかるウェアラブル装置は、表示部と、ユーザーの生体情報を取得する生体情報取得部と、前記生体情報に基づいて前記ユーザーの状態に関する解析情報を決定し、前記解析情報と、前記解析情報に対応する時間情報と、を関連付けて前記表示部に表示させる制御部と、前記ユーザーに関する主観情報、および、前記ユーザーに関するイベント情報の少なくとも１つを含む入力情報を前記時間情報に対応付けて受け付ける受付部と、を備え、前記制御部は、前記受付部が前記入力情報を受け付けた場合、前記解析情報および前記時間情報に関連付けて前記入力情報を前記表示部に表示させることを特徴とする。
【００３２】
このような構成によれば、ユーザーに関する主観情報、および、ユーザーに関するイベント情報の少なくとも１つを含む入力情報が、時間情報と関連付けて入力された場合、入力情報は、時間情報および時間情報に関連するユーザーの解析情報に関連付けて表示部に表示される。従って、ユーザーは、入力情報に基づいて解析情報に対する要因を正確に推測できる。
【００３３】
［適用例１５］
本適用例にかかる生体情報表示方法は、ユーザーの生体情報を取得し、前記生体情報に基づいて前記ユーザーの状態に関する解析情報を決定し、前記解析情報と、前記解析情報に対応する時間情報と、を関連付けて表示し、前記ユーザーに関する主観情報、および、前記ユーザーに関するイベント情報の少なくとも１つを含む入力情報を前記時間情報に対応付けて受け付けた場合、前記解析情報および前記時間情報に関連付けて前記入力情報を表示することを特徴とする。
【００３４】
このような方法によれば、ユーザーに関する主観情報、および、ユーザーに関するイベント情報の少なくとも１つを含む入力情報が、時間情報と関連付けて入力された場合、入力情報は、時間情報および時間情報に関連するユーザーの解析情報に関連付けて表示される。従って、ユーザーは、入力情報に基づいて解析情報に対する要因を正確に推測できる。
【００３５】
［適用例１６］
本適用例にかかる生体情報表示プログラムは、ユーザーの生体情報を取得し、前記生体情報に基づいて前記ユーザーの状態に関する解析情報を決定し、前記解析情報と、前記解析情報に対応する時間情報と、を関連付けて表示し、前記ユーザーに関する主観情報、および、前記ユーザーに関するイベント情報の少なくとも１つを含む入力情報を前記時間情報に対応付けて受け付けた場合、前記解析情報および前記時間情報に関連付けて前記入力情報を表示することをコンピューターに実行させることを特徴とする。
【００３６】
このような構成によれば、ユーザーに関する主観情報、および、ユーザーに関するイベント情報の少なくとも１つを含む入力情報が、時間情報と関連付けて入力された場合、入力情報は、時間情報および時間情報に関連するユーザーの解析情報に関連付けて表示される。従って、ユーザーは、入力情報に基づいて解析情報に対する要因を正確に推測できる。
【図面の簡単な説明】
【００３７】
【図１】実施形態に係る生体情報表示システムの一例を示す図。
【図２】生体情報表示システムの機能部の構成例を示す図。
【図３】最低脈拍数の推移画像を示す図。
【図４】推移画像の最低脈拍数がタップされた場合に実行される処理のフローチャート。
【図５】最低脈拍数の推移画像を示す図。
【図６】最低脈拍数の推移画像を示す図。
【図７】最低脈拍数の推移画像を示す図。
【図８】最低脈拍数の推移画像を示す図。
【発明を実施するための形態】
【００３８】
以下、本発明の実施形態について図面を参照して説明する。
【００３９】
（実施形態）
図１は、本実施形態に係る生体情報表示システム５０の一例を示す図である。図１では、バンド型のウェアラブル装置１００と、スマートフォン等の携帯端末装置２００とが短距離無線通信等により接続され、ウェアラブル装置１００に搭載されたセンサーからの情報に基づいて演算された情報が、携帯端末装置２００の表示部２２０に表示されている。
尚、本実施形態に係る電子機器は、ウェアラブル装置１００や携帯端末装置２００に限定されるものではなく、タブレットのような多機能携帯端末や、パーソナルコンピューター等、種々の機器を用いることが可能である。
また、ウェアラブル装置１００は、腕時計のようなバンド型には限定されず、ペンダント型、ベルト型、スマートグラス型のような種々の態様も想定できる。
【００４０】
図２は、本実施形態に係る生体情報表示システム５０の機能部の構成例を示す。
最初に、ウェアラブル装置１００の機能部について説明する。
ウェアラブル装置１００は、脈拍情報検出部１１０、体動情報検出部１２０および通信部１３０を備える。
脈拍情報検出部１１０は、生体情報の１つである脈波を検知する脈波センサー（図示せず）の出力に基づいて、単位時間当たりの脈拍数を含む脈拍情報を取得する。尚、脈拍情報検出部１１０は生体情報取得部に相当する。脈波センサーは、例えば、ＬＥＤ（Light Emitting Diode）などの発光素子およびフォトダイオードなどの受光素子を有し、発光素子により照射された光が体部の血管で反射され、反射された光を集光し受光素子で受光する。この際、脈波センサーは、血管の拡張時と収縮時とで光の反射率が異なる現象を利用して、受光量の変動情報から脈波を検出する。
【００４１】
また、体部の血管からの反射光に基づいて脈拍数を算出する方法は、例えば、特開２０１２−２３２０１０号公報に開示されている手法を採用できる。
尚、本実施形態では、生体情報として脈拍数を検知したが、これには限定されず、心電情報を検知し、検知した心電に基づいて心拍数を検知しても良い。また、脈波情報および心電情報を検知しても良い。また、以降において、脈拍数は心拍数と置き換えても良い。
体動情報検出部１２０は、体動を検知するセンサー（図示せず）の出力に基づいて歩数等の体動情報を取得する。このようなセンサーは、加速度センサーやジャイロセンサーを想定する。
【００４２】
加速度センサーは、１軸方向または２軸以上の軸方向（例えば、Ｘ、Ｙ、Ｚ軸の３軸方向）に取り付けられた加速度センサーであり、各軸の加速度変化を単位時間ごとに計測する。
尚、計測した加速度変化から歩数等を算出する方法は、例えば、特開２００４−８１７４５号公報に開示されている手法を採用できる。
ジャイロセンサーは、加速度センサーにおける各Ｘ、Ｙ、Ｚ軸を中心軸として角速度を単位時間ごとに計測する。体動情報検出部１２０は、加速度センサーおよびジャイロセンサーにより、検出された加速度変化データおよび角速度データを用いて、その変化量を積算し変化量に応じた運動強度および運動量を体動情報として算出する。
尚、体動情報検出部１２０は、位置情報を検知するＧＰＳ（Global Positioning System）センサーを更に含んでもよい。
【００４３】
ＧＰＳセンサーは、ＧＰＳ受信機能および位置情報演算回路を備えており、単位時間ごとに位置情報（緯度、経度、高度）データを計測する。体動情報検出部１２０は、単位時間毎の位置情報から、移動距離や移動速度を算出し、他のセンサー情報とも組み合わせて運動量を体動情報として算出できる。
また、体動情報検出部１２０は、体温や血圧を検出するセンサーを含んでも良い。
通信部１３０は、携帯端末装置２００の通信部２０５と無線通信を行い、脈拍情報検出部１１０が検出した脈拍情報や、体動情報検出部１２０が検出した体動情報を携帯端末装置２００に送る。
【００４４】
尚、無線通信の方式はブルートゥース（登録商標）（Bluetooth（登録商標））を想定するが、これには限定されず、例えば、ＺｉｇＢｅｅ（登録商標）、Ｗｉ−ＳＵＮ（登録商標）、ＩＰ５００（登録商標）のような種々の近距離無線通信方式を採用できる。
次に、携帯端末装置２００の機能部について説明する。
携帯端末装置２００は、通信部２０５、操作受付部２１０、記憶部２１５、制御部２５０および表示部２２０を備える。
通信部２０５は受信部に相当し、ウェアラブル装置１００の通信部１３０から送られる脈拍情報や、体動情報を受信し、受信した脈拍情報や、体動情報を制御部２５０に送る。
【００４５】
操作受付部２１０は、ユーザーによる操作を受け付け、受け付けた操作に応じた信号を制御部２５０に送る。
表示部２２０は、制御部２５０で生成される画像を表示する。尚、本実施形態では、携帯端末装置２００はタッチパネル（図示せず）を備え、タッチパネルが操作受付部２１０および表示部２２０に相当する。
記憶部２１５は、ハードウェアとしてフラッシュメモリー等を想定し、制御部２５０が処理するデータやプログラム等を記憶する。
制御部２５０は、脈拍数情報取得部２５５、運動情報取得部２６０、付加情報取得部２６５、算出部２７０および表示制御部２７５を備える。
【００４６】
尚、制御部２５０は、各種の情報の処理や制御を行うものであり、ハードウェアとしてプロセッサーを想定する。制御部２５０が備える各機能部は、プログラム等の情報を記憶する記憶部２１５と、記憶部２１５に記憶されたプログラム等の情報に基づき動作するプロセッサーと、が協働することにより実現される。
脈拍数情報取得部２５５は、ウェアラブル装置１００から送られる脈拍情報から脈拍数情報を取得し、取得した脈拍数情報を算出部２７０に送る。
運動情報取得部２６０は、ウェアラブル装置１００から送られる体動情報から運動情報を取得し、取得した運動情報を算出部２７０に送る。
【００４７】
算出部２７０は、脈拍数情報取得部２５５から送られる脈拍数情報、および、運動情報取得部２６０から送られる運動情報に基づいて、健康状態等を判定するための基準となる脈拍数、即ち、睡眠時における脈拍数の最低値（最低脈拍数と呼ぶ。）を算出（決定）する。このような最低脈拍数を算出する方法は、例えば、特開２０１５−１３１０４９号公報に開示されている手法を採用できる。
尚、本実施形態では、解析情報として最低脈拍数を算出対象としたが、これには限定されず、安静時脈拍数、最高脈拍数、ストレス度合、疲労度合等を算出対象としても良い。
算出部２７０は、更に、脈拍数情報取得部２５５から送られる脈拍数情報を時系列に管理し、数カ月のような所定の長期間に亘る脈拍数の最低値を示す基底脈拍数を算出する。尚、基底脈拍数は、体調が良い時や、熟睡できた場合に出現することが知られている。
【００４８】
算出部２７０が算出した最低脈拍数や基底脈拍数の情報は、算出した日時の情報と関連付けて記憶部２１５に記憶される。
付加情報取得部２６５は、操作受付部２１０が受け付けた操作に基づき、最低脈拍数に関する付加情報を取得する。本実施形態では、付加情報は、最低脈拍数に関連付けられたアイコンや、最低脈拍数に対するコメントを想定する。付加情報取得部２６５は、ユーザーがタッチパネルを操作して生成した付加情報を取得し、取得した付加情報を表示制御部２７５に送る。
表示制御部２７５は、表示部２２０における画像の表示を制御する。例えば、図３は、表示部２２０に表示される最低脈拍数の推移画像２４５の一例である。表示制御部２７５は、ユーザーの所定操作に基づいて推移画像２４５を生成し、生成した推移画像２４５を表示部２２０に表示させる。
【００４９】
表示制御部２７５は、最低脈拍数の値をグラフの一方の軸（縦軸）に割り当てると共に、最低脈拍数を検出した日時等の時間情報をグラフの他方の軸（横軸）に割り当て、時間経過に伴う最低脈拍数の推移を示す推移画像２４５を生成する。本実施形態では、表示制御部２７５は、記憶部２１５に記憶された複数の最低脈拍数の値と、それぞれに対応する日時情報と、を読み出し、推移画像２４５に重畳して、最低脈拍数の値を丸状のプロット（Ｐ１〜Ｐ４）で日時情報に応じて時系列にプロットすると共に、プロット（Ｐ１〜Ｐ４）間を直線で補完する。更に、表示制御部２７５は、記憶部２１５に記憶された基底脈拍数を読み出し、推移画像２４５に基準線ＢＬを重畳して表示させる。
また、表示制御部２７５は、表示部２２０が表示している推移画像２４５に対して、ユーザーが手指等で操作受付部２１０を操作した場合、操作に応じて推移画像２４５を書き換える。
【００５０】
図４は、操作に応じて推移画像２４５が書き換わる一例として、推移画像２４５において最低脈拍数のプロットがタップされた場合に実行される処理の流れを示すフローチャートであり、一連の処理について説明する。尚、図５〜図７の各推移画像２４５も適宜参照し、各処理における推移画像２４５を説明する。尚、この処理は、生体情報表示方法および生体情報表示プログラムに相当する。
処理が開始されると、制御部２５０は、タップされた最低脈拍数のプロットの近くにアイコンリストを表示させる（ステップＳ３００）。この結果、図５に示すように、推移画像２４５の最低脈拍数のプロットＰ１の近くにアイコンリストＩＬが重畳して表示される。
【００５１】
このアイコンリストＩＬは、ユーザーが選択可能な入力情報として、ユーザーの主観的な状態を示す主観情報や、ユーザーに関するイベント情報を示すアイコン（Ｓ１〜Ｓ５）を少なくとも１つ以上含んでいる。本実施形態では、アイコンＳ１は「飲酒したこと」を示すアイコンである。また、アイコンＳ２は「体調不良」を示すアイコンである。アイコンＳ３は「運動したこと」を示すアイコンである。アイコンＳ４は「ストレス」を示すアイコンである。また、アイコンＳ５には意味付けされていないアイコンであり、ユーザーが操作受付部２１０を操作してアイコン図柄と共に意味付けを設定できる。また、心理状態、睡眠時間および睡眠深さを示すアイコンを更に含んでも良い。
次に、ユーザーの操作によりアイコンリストＩＬの中から所望のアイコンが選択される（ステップＳ３０２）。アイコンリストＩＬの中から所望のアイコンが選択されると、アイコンリストＩＬは非表示になる。尚、本実施形態では、所望のアイコンとしてアイコンＳ３が選択された場合を想定する。
【００５２】
次に、制御部２５０は、タップされた最低脈拍数のプロットＰ１の位置に、選択されたアイコンＳ３を重畳して表示させる（ステップＳ３０４）。この結果、図６に示すように、推移画像２４５には、最低脈拍数のプロットＰ１の位置に選択されたアイコンＳ３が表示される。
次に、制御部２５０は、選択されたアイコンＳ３と、タップされた最低脈拍数のプロットＰ１の位置と、を関連付けて記憶部２１５に記憶し（ステップＳ３０６）、一連の処理を終了する。これにより、推移画像２４５のプロットに関連付けたアイコンが保存され、この推移画像２４５を表示部２２０に再度表示させる場合、各プロットの位置に関連付けられたアイコンも表示される。
【００５３】
また、最低脈拍数の各プロット（Ｐ２〜Ｐ４）をタップして、アイコンをそれぞれ選択することで、図７に示すような推移画像２４５が得られる。ユーザーは、この推移画像２４５から、運動を行うことで最低脈拍数が基底脈拍数に近づくことや、飲酒した場合に最低脈拍数が高くなることや、ストレスによっても最低脈拍数が高くなることを視認できる。そして、ユーザーは、運動の習慣化という動機付けや、飲酒しない日、即ち、休肝日を設けようという動機付けや、しっかり睡眠や休息を取ろうという動機付けとすることができる。
【００５４】
また、図８に示すように、例えば、アイコンＳ３が表示されたプロットＰ１を押下した場合、制御部２５０は推移画像２４５にテキスト入力画面ＴＸ１を表示する。ユーザーはアイコンＳ３の詳細な情報やコメントを入力できる。制御部２５０は入力された内容を記憶部２１５に記憶し、必要に応じて読み出して表示する。
尚、推移画像２４５において最低脈拍数の推移を表示する日付や期間（週または月）は、ユーザーが操作受付部２１０を操作することにより変更できる。
【００５５】
以上述べた実施形態によれば、以下のような効果を奏する。
携帯端末装置２００の制御部２５０は、ユーザーの最低脈拍数の推移を示す推移画像２４５を生成し、生成した推移画像２４５を表示部２２０に表示させる。ここで、ユーザーが推移画像２４５において最低脈拍数に対応するプロットＰ１をタップすると、制御部２５０は、ユーザーに関する主観情報、および、ユーザーに関するイベント情報の少なくとも１つを含むアイコンリストＩＬを推移画像２４５の最低脈拍数のプロットＰ１の近くに表示させる。これを受けて、ユーザーがアイコンリストＩＬの中から所望のアイコンＳ１を選択した場合、タップされたプロットＰ１の位置に、選択したアイコンＳ１が重畳して表示される。従って、ユーザーは、タップした最低脈拍数に関する要因を表示されたアイコンＳ１に基づいて推測できる。この結果、ユーザーは、自身の体調等に影響を与えた要因を推測し、体調を向上させるための対策を講ずることができる。
【００５６】
以上、添付図面を参照しながら好適な実施形態について説明したが、好適な実施形態は、前記実施形態に限らない。実施形態は、要旨を逸脱しない範囲内において種々変更を加え得ることは勿論であり、以下のように実施することもできる。
例えば、上記の生体情報表示システム５０にサーバー装置（図示は略す。）を含み、サーバー装置がウェアラブル装置１００や携帯端末装置２００と通信を介して接続された態様も想定できる。
【００５７】
一般的に、サーバー装置は、ウェアラブル装置１００や携帯端末装置２００に比べて処理性能が高い。よって、携帯端末装置２００の制御部２５０が有する機能の一部、例えば、算出部２７０の機能をサーバー装置が有することにより、携帯端末装置２００が有する場合に比べて、種々の処理を高速に行うことが可能になる。また、サーバー装置は、記憶容量が大きいため、脈拍数や運動情報を数年や数十年単位で記憶しておくことが可能である。これにより、長期間のデータに基づく算出や解析が可能になり、基底脈拍数の信頼性の向上や、最低脈拍数の推移に関する解析精度の向上を図ることが期待できる。
【００５８】
また、携帯端末装置２００の機能をウェアラブル装置１００が有し、生体情報表示システム５０をウェアラブル装置１００のみで実現する態様も想定できる。即ち、ウェアラブル装置１００は、前述の構成に加え、操作受付部２１０、記憶部２１５、制御部２５０および表示部２２０を備える。これにより、生体情報表示システム５０を小型化および軽量化できる。
また、アイコンリストＩＬに表示される選択可能なアイコンはこれらには限定されない。例えば、ユーザーがアイコンＳ５を押下することで、アイコンＳ５に主観的な体調を定義しても良い。
【００５９】
また、推移画像２４５に基底脈拍数の基準線ＢＬを重畳して表示させたが、これには限定されず、制御部２５０は、ユーザーの体調や睡眠状態が良好である場合における最低脈拍数の基準線を体調や睡眠に基づいて生成し、生成した基準線を推移画像２４５に重畳して表示させても良い。この場合、基準線はユーザーが設定しても良く、制御部２５０が体調具合や睡眠具合に基づいて生成しても良い。
【００６０】
更に、制御部２５０は、生成した最低脈拍数の基準線と、現在の最低脈拍数と、の乖離度合を算出し、算出した結果に基づいて、ユーザーの疲労度を判定しても良い。更に、制御部２５０は、テキスト入力画面ＴＸ１に入力した入力内容や乖離度合に基づいて、ユーザーに対するメッセージやアドバイス等を作成し、ユーザーに通知する通知部（図示は略す。）を有しても良い。
【００６１】
また、制御部２５０は、最低脈拍数と、他のデータを組み合わせることで、付加価値を追加しても良い。例えば、ユーザーの最低脈拍数の推移と、ユーザーの位置情報を組み合わせることで、自宅で就寝した場合と、ホテルで就寝した場合と、の体の休息具合の相関関係を知ることができる。このような他のデータとして、ストレス（ＨＲＶ）、歩数、エクササイズ時間、立っている時間および座っている時間も想定できる。
また、プロットＰ１の押下により表示される情報はテキスト入力画面ＴＸ１には限定されない。例えば、プロットＰ１を押下すると、表示されているアイコンに対応するプログラムが起動し、そのプログラムがアイコンに関連する情報を取得し、表示部２２０に表示しても良い。例えば、プログラムが外部のサーバー等にアクセスし、取得した種々の情報を表示しても良い。
【００６２】
例えば、「飲酒したこと」を示すアイコンＳ１の場合、ユーザーが摂取した食事内容、食事量、食事時間等を取得しても良い。
また、「体調不良」を示すアイコンＳ２の場合、ユーザーの体温や血圧の情報を体動情報検出部１２０が取得しても良く、例えば、外部のサーバー装置から気温、天気、花粉飛散情報、インフルエンザ流行情報等を取得しても良い。
また、「運動したこと」を示すアイコンＳ３の場合、脈ゾーン滞在時間、運動種別、運動時間等の負荷情報を体動情報検出部１２０が取得しても良い。
また、「ストレス」を示すアイコンＳ４の場合、ストレスが大きかった時間、強さ、場所、スケジュール、イベントや、リラックスしていた時間、強さ、場所、スケジュール、イベントや、地図上のイベントマーカーのプロット数を取得しても良い。
【００６３】
また、プログラムが別ウィンドウを表示部２２０に表示し、取得する情報をユーザーに選択させても良い。
また、図２に示した制御部２５０の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。
【００６４】
また、上記実施形態においてソフトウェアで実現される機能の一部をハードウェアで実現してもよく、あるいは、ハードウェアで実現される機能の一部をソフトウェアで実現してもよい。その他、制御部２５０の他の各部の具体的な細部構成についても、本発明の趣旨を逸脱しない範囲で任意に変更可能である。
また、最低脈拍数の時系列変化を示す推移と、各データ（例えば、主観的な体調を示すデータや生体情報のデータ）の推移と、はユーザーの生活パターンと相関関係を有する。従って、直近の最低脈拍数の推移および各データの推移を含むパターン（第２の変化パターン）と、サーバー装置や記憶部２１５が記憶する過去のデータが示すパターン（第１の変化パターン）とがマッチングする場合、制御部２５０は、マッチングする過去のデータが見つかったことをユーザーにプッシュ通知しても良い。
更に、サーバー装置は、マッチングした類似度合いを評価して、将来の推移を予測し、ウェアラブル装置１００にアドバイスやメッセージを表示させることで、ユーザーに対して行動変容を強く促しても良い。これにより、ユーザーは、体調の悪化を事前に予防できる。
【符号の説明】
【００６５】
５０…生体情報表示システム、１００…ウェアラブル装置、１１０…脈拍情報検出部、１２０…体動情報検出部、１３０…通信部、２００…携帯端末装置、２０５…通信部、２１０…操作受付部、２１５…記憶部、２２０…表示部、２４５…推移画像、２５０…制御部、２５５…脈拍数情報取得部、２６０…運動情報取得部、２６５…付加情報取得部、２７０…算出部、２７５…表示制御部。
【図１】
2017213249.tif 000003
【図２】
2017213249.tif 000004
【図３】
2017213249.tif 000005
【図４】
2017213249.tif 000006
【図５】
2017213249.tif 000007
【図６】
2017213249.tif 000008
【図７】
2017213249.tif 000009
【図８】
2017213249.tif 000010